【事件の表示】
　特願２００２−２３４７４８「事前充電ディスプレイ装置」拒絶査定不服審判事件〔平成１５年１１月１９日出願公開、特開２００３−３３０４３２〕について、次のとおり審決する。
【結　論】
　本件審判の請求は、成り立たない。
【理　由】
第１　手続の経緯 
　本願は、平成１４年８月１２日（パリ条約の例による優先権主張２００２年５月１５日、台湾）の出願であって、平成１７年１２月５日付け（発送日同月７日）で拒絶査定がなされ、これに対し、平成１８年３月７日に拒絶査定に対する審判請求がなされたものである。 
　 
第２　本願発明について 
　本願の請求項１及び２に係る発明は、願書に添付された明細書及び図面の記載からみて、その特許請求の範囲の請求項１及び２に記載された事項により特定されるとおりのものと認められるところ、その請求項１係る発明（以下、「本願第１発明」という。）は、次の通りである。
「【請求項１】　列に配列された複数の走査線、
複数の走査線と交差し、かつ、行に配列された複数のデータ線、
複数の走査線の各々と、複数のデータ線の各々の交点に配列された複数の画素、
複数の走査線に接続され、複数の走査線の各々に複数の連続列選択パルスを与えるように使用される垂直駆動回路、
ビデオ信号を発生するために使用される信号駆動回路、
信号駆動回路及び複数のデータ線に接続された複数のスイッチであって、これらスイッチがＯＮの時に画像信号が複数のデータ線に送信される複数のスイッチ、
複数のスイッチに接続され、複数のスイッチのＯＮ／ＯＦＦ状態を制御するために複数の連続サンプリングパルスを発生するように使用される水平駆動回路、
複数の画素に結合された第一電極と、接地された第二電極とを有する共有コンデンサ、
複数の画素及び共有コンデンサに結合された第三電極と、第四電極とを有する共有抵抗、
複数のデータ線、共有抵抗、および一組の事前充電制御信号に接続される複数の事前充電スイッチング・トランジスタであって、その複数の事前充電スイッチング・トランジスタがＯＮ状態またはＯＦＦ状態のいずれであるかは事前充電制御信号によって制御される事前充電スイッチング・トランジスタ、および共有抵抗、複数の事前充電スイッチング・トランジスタ、事前充電制御信号、および共有電圧に接続される一組の事前充電制御トランジスタであって、その事前充電制御トランジスタがＯＮ状態またはＯＦＦ状態のいずれであるかは事前充電制御信号によって制御される事前充電制御トランジスタを有し、複数の事前充電スイッチング・トランジスタのタイプ（ｎタイプかｐタイプか）は、事前充電制御トランジスタのタイプとは相違していなければならないことを特徴とする事前充電ディスプレイ装置。」
　 
第３　引用刊行物 
　１．　原査定の拒絶の理由に引用された、本願出願前に頒布された刊行物である特開平８−２５１５１８号公報（以下、「引用刊行物１」という。）には、図面とともに以下の技術事項が記載されている。 
　 
（１−ａ）「【０００２】【従来の技術】液晶表示体を駆動する場合、・・・【０００３】・・・このような駆動を行うために、一般に駆動器（ドライバ）と呼ばれるＬＳＩが用いられている。駆動器には、上述のサンプリングと画像信号出力とを行うためのデータ駆動器（これは列駆動器、データドライバ、ソースドライバまたはコラムドライバ等とも呼ばれる）と、液晶表示体の１水平ライン毎の走査を行うための走査駆動器（これは行駆動器またはゲートドライバ等とも呼ばれる）とがある。以下の説明では、特に断らない限り、データ駆動器のことを単に駆動器と称して説明する。
【０００４】図９は、液晶表示体１００と、データ駆動器１０１および走査駆動器１０２を含めた駆動回路との簡単な構成図を示す。なお、液晶表示体１００に設けられた四角の枠で示す画素｛Ｐ（１，ｉ）、Ｐ（１，ｉ＋１）、Ｐ（ｊ，ｉ）、Ｐ（ｊ，Ｎ）など｝の下の矢印は共通電極に接続されていることを示している。
【０００５】また、図１０は、画像信号がデジタルで与えられる場合において、図９のｉ番目に対応するデータ駆動器の１出力対応の回路構成図を示す。この回路構成と同様のものが表示体の全てのデータ電極（これはデータ線とも呼ばれる）Ｏ１〜ＯＮに対応して設けられており、図１０の回路はｉ番目のものである。なお、この図１０では、画像信号データは３ビットで構成されている場合を例として挙げている。
【０００６】入力の画像信号はサンプリングパルスＴｓｍｐ（ｉ）でサンプリングメモリＭｓｍｐ（ｉ）に取り込まれる。・・・出力パルスＬＳによって、各サンプリングメモリＭｓｍｐの内容は一斉に保持メモリＭＨに取り込まれる。・・・【０００７】各保持メモリＭＨに保持されているデータは、復号器ＤＥＣに入力されており、データの値に対応したアナログスイッチＡＳＷ０〜ＡＳＷ７の１つが入となり、駆動器の外部から与えられている階調電源Ｖ０〜Ｖ７が、入となったアナログスイッチを通して回路の出力となり、液晶表示体１００の対応したデータ電極を駆動する。・・・【０００８】ところで、このとき、表示すべき走査電極（これは走査線、ゲート線または行線とも呼ばれる）に対応した走査駆動器１０２の出力が高となっており、その行の全てのスイッチング素子Ｔ（ｊ，ｉ）が入となっている。そのため、画素電極は入となったスイッチング素子Ｔ（ｊ，ｉ）を介して各データ電極と同一の電圧、すなわち、対応したデータ駆動器１０１より出力されている電圧で充電されるのである。」（段落【０００２】−【０００８】） 
　 
（１−ｂ）「【０００９】ところで、液晶表示体１００の駆動においては、液晶の劣化を防ぐため一定周期で液晶に印加される電圧の極性を反転する必要がある（これを、液晶表示体の交流駆動と言う）。この反転は、対向電極に対する駆動器１０１の出力電圧の極性を正負に反転することによって実現され、１垂直時間毎に極性を反転する垂直反転（またはフレーム反転）が最も容易に交流駆動を実現する方法である。」（段落【０００９】） 
　 
（１−ｃ）「【００２３】・・・中間調表示を行う能動行列型液晶表示体では、以下に述べる行反転駆動が一般に用いられている。【００２４】図１６、図１７は、行反転駆動方式の各部電圧波形を示したものである。・・・【００２８】そこで、＋５Ｖ以下の低電圧プロセスの駆動器でも実質的に同一のダイナミックレンジを得る方法として、共通電極の交流駆動方法と組合わせる方法が開発された。【００２９】図１８に、その場合の駆動器の出力波形と共通電極の駆動波形を示す。図中のＶ０とＶ７とは、３ビットの駆動器において、それぞれ０と７とを連続して出力するときの出力波形である。【００３０】この場合、共通電極から見た画素電圧は、図１６、１７のＰ（）と同一になり、駆動器の出力のダイナミックレンジは実質的に大きくなることになる・・・。」（段落【００２３】−【００３０】） 
　 
（１−ｄ）「【００３１】【発明が解決しようとする課題】図１９（ａ）は、液晶表示体のデータ線（またはデータ電極）を駆動器の負荷として見た場合の等価回路を示したものである。図のようにデータ線は、自身の抵抗と、対向する共通電極との間に構成される容量とから各々構成される分布定数回路として表される。即ち、駆動器は、図１９（ａ）の回路を充放電しなければならないのである。【００３２】尚、データ線の容量成分としては、・・・対向電極との間の容量に注目して説明する事とする。・・・駆動回路の容量性負荷としては画素自体の容量は無視できるので、図１９では記していない。【００３３】・・・過渡期間より十分に長い期間を周期として充放電する場合において、過渡状態が終了した時点での電荷量の解析には、集中定数として扱って差し支えない。従って、図１９（ａ）の回路は、図１９（ｂ）の回路で置き換えても差し支えないのである。【００３４】ところで、抵抗は充放電に要する時間を決定する要素としては働くが、充放電の総電荷量は容量によってのみ決定されるので、充放電する電荷量を考える場合には、図１９（ｃ）に示すように抵抗は無視して、容量だけの等価回路を考えればよいのである。【００３５】実際の液晶表示体においては、データ線の数だけ、この等価回路が存在するので、表示体全体の負荷としての等価回路は、図１９（ｄ）に示すように、図１９（ｃ）の回路がデータ線数だけ共通電極を共通にして接続された回路と考えられる。ここで、本発明の概念の説明を簡単化するため、１つの走査線上の画素に同一の階調表示を行う場合を考えると、図１９（ｄ）のデータ側の電極は同一電位となるから、図１９（ｅ）のように表されるのである。なお、この容量をＣｐとする。」（段落【００３１】−【００３５】） 
　　
（１−ｅ）「【００３６】今、全画素にわたってＶ０を書き込む場合を考えると、前述した共通電極交流駆動と行反転駆動とを組み合わせた駆動方法では、図２０（ａ）と（ｂ）に示した２つの状態を繰り返していることになる。・・・ここで、駆動器として図１０のような構造のデジタル駆動器が用いられている場合は、これらのデータ線側の充放電に必要な電荷は、駆動器を介して階調電源回路が負担する。
【００３８】ところで、階調電源回路や共通電極駆動回路は、例えば図２１のような回路が用いられている。・・・【００４０】・・・行反転駆動の場合には、・・・垂直反転駆動方法に比して消費電力が大幅に大きくなってしまうのである。【００４１】・・・この欠点は行反転駆動及び共通電極交流駆動の宿命・・・と考えられていた・・・。」（段落【００３６】−【００４１】） 
　 
（１−ｆ）「【００４６】【作用】本発明の基本的な考え方は、従来、むだに失っていたデータ線（データ電極）と共通電極の電荷を、両電極間の間道回路（バイパス回路）を通して両電極間で移動させ、しかる後に不足分の電荷のみを両駆動回路が供給することで、従来での駆動に必要とした電荷を大幅に減らし、しかるして共通電極の交流駆動を行う行反転駆動であるにも拘わらず、駆動に必要な電力を従来と比して大幅に低下せしめるのである。【００４７】上記した動作をさせるために、階調電源回路と共通電極駆動回路とは、その極性の反転の前後にある期間においてハイインピーダンス状態になると共に、同じ期間において液晶表示体のデータ線（データ電極）と共通電極とは間道回路を介して電気的に接続される構成とする。【００４８】図１は、本発明にかかる駆動回路の基本概念の説明図である。図示の駆動回路は、階調用電源回路１と共通電極駆動回路２とを有する。階調用電源回路１は、矩形波を出力する電源回路であり、従来と同一の回路を用いることができる。図２に階調用電源回路１の出力電圧Ｖ０と共通電極駆動回路２の出力電圧Ｖｃｏｍとのそれぞれの波形を示す。出力電圧Ｖ０の波形は図１０の出力電圧Ｖ０と同一である。実際、図１０の波形は、階調用電源回路１において電圧Ｖ０が選択されて出力されているからそうなっているのである。」（段落【００４６】−【００４８】） 
　 
（１−ｇ）「【００４９】本発明では、階調用電源回路１と共通電極駆動回路２との出力は、図１に示すように、それぞれスイッチＳＷｖｏとＳＷｃｏｍとを介して液晶表示体と接続されている。厳密には、階調用電源回路１からの出力は、駆動器３の階調電源入力端子に入力されるようになっている。前記スイッチＳＷｖｏおよびＳＷｃｏｍの設けた目的は、階調用電源回路１および共通電極駆動回路２の各々の出力を液晶表示体から電気的に切り離すこと、換言すればハイインピーダンス状態にすることにある。従って、ここでは説明の容易化のためにスイッチを用いているが、その手段にのみ限定されるものではない。つまり、階調用電源回路１がハイインピーダンスとなって、実質的にその負荷との間で電荷の移動が禁止されれば、そのようにできる手段一般が用いられる。」（段落【００４９】） 
　 
（１−ｈ）「【００５０】尚、階調用電源回路１は、実際には、駆動器３を介して液晶表示体、この図示例では蓄電器Ｃｐに接続されている。しかし、この図示例では、駆動器３が電圧Ｖ０を選択している場合を考えているので、階調用電源回路１は駆動器３に備わった出力回路のアナログスイッチを介して液晶表示体と接続されているため、図１のように簡略して表記している。また、スイッチＳＷｓが液晶表示体の両電極、つまりデータ線（データ電極）と共通電極とを電気的に接続するための間道回路となっている。」（段落【００５０】） 
　 
（１−ｉ）「【００５１】ところで、各スイッチＳＷｖｏ、ＳＷｃｏｍおよびＳＷｓは、それぞれの制御信号ＣＯＮＴｖｏ、ＣＯＮＴｃｏｍ、ＣＯＮＴｓが高のときは入となり、低のときは切となるものとして、図２および図２２に基づいて図１の回路の動作を説明する。
【００５２】スイッチＳＷｖｏとＳＷｃｏｍは、駆動の正負の変化点の前後を除いて入となっている。
【００５３】階調用電源回路１と共通電極駆動回路２の出力の変化点の前で、それぞれのスイッチＳＷｖｏおよびＳＷｃｏｍは制御信号ＣＯＮＴｖｏおよびＣＯＮＴｃｏｍが低となって切となる。その直後、制御信号ＣＯＮＴｓが高となってスイッチＳＷｓは入になる。今、図２の「１」周辺で、スイッチＳＷｓが入になった時を考えると、蓄電器Ｃｐのデータ側電極に充電されていた正の電荷（Ｑｃ）と共通電極側電極に充電されていた負の電荷（−Ｑｃ）は、スイッチＳＷｓを通して互いに中和し、蓄電器Ｃｐの電荷は０となる。この後、スイッチＳＷｓが切となった後、スイッチＳＷｖｏとＳＷｃｏｍとは入となって、階調用電源回路１は蓄電器Ｃｐのデータ側電極に−Ｑｃの電荷を充電し、換言すれば−Ｑｃまで放電し、共通電極駆動回路２は蓄電器Ｃｐの共通電極側電極に＋Ｑｃの電荷を充電する。
【００５４】以上の遷移を図２２に示す。即ち、本発明によると、（ａ）の状態から（ｃ）の状態への遷移の間に（ｂ）の状態が存在し、（ａ）の状態から（ｂ）の状態への遷移が、電源回路が電荷を負担することなく、換言すれば、エネルギーを消費することなく行われるのである。
【００５５】階調用電源回路および共通電極駆動回路が負担すべき電荷は、（ｂ）の状態から（ｃ）の状態へ遷移させるための電荷、即ちＱｃのみであり、従来の方法では２Ｑｃであったことを考えると半分になっていることがわかる。なお、図２の「２」の周辺では以上の説明とは逆に、図２２の（ｃ）の状態から（ｂ）の状態を経て（ａ）の状態に遷移するわけであるが、電荷の削減効果は全く同様である。」（段落【００５１】−【００５５】） 
　 
（１−ｊ）「【００５７】【実施例】以下に、本発明の実施例につき説明する。【００５８】図３は、本実施例にかかる駆動回路のブロック図である。この駆動回路は、スイッチにＦＥＴ（電界効果トランジスタ）を用いたものであり、階調用電源回路１を切り離すための第１ＦＥＴ１１と、共通電極駆動回路２を切り離すための第２ＦＥＴ１２とは、同一制御信号ＣＯＮＴ１で制御されている。また、切り離された両回路１、２を短絡させるための第３ＦＥＴ１３と直列に接続された抵抗Ｒは、第３ＦＥＴ１３の電流容量を越えた電流が流れないようにするために設けられている。第３ＦＥＴ１３の仕様によっては、抵抗Ｒは必要がない。第３ＦＥＴ１３は制御信号ＣＯＮＴ３で制御される。【００５９】このように構成された本実施例による場合には、前述した作用の欄で説明したように、従来方式による場合に比べて充放電すべき電荷が半分となる。」（段落【００５７】−【００５９】） 
　 
（１−ｋ）「【００６８】なお、以上の説明では簡単のため、共通電極及びデータ電極の容量は、互いに双方の組み合わせで生じているものとして説明している。しかし、実際には、共通電極の容量は、その他にゲート電極との間にも構成されているし、また共通電極自体が次元をもっていること、簡単に言えば面積をもっていること、に基づく容量もある。また、データ電極の容量も、その他にゲート電極との間、特に交差部との間にも構成されている。しかし、本発明は、実際には、ゲート電極や共通電極の容量が何によって構成されているかと言う事には無関係であり、本発明の要点は、従来では双方の電極に充電された電荷がそのまま駆動回路を介して捨てられていたのを、無駄にせず、双方の電荷を打ち消し合うのに使われる、と言うことである。たとえば、データ線側電極の電荷を考えると、その相手側の電極の容量が何処に由来するものであろうと、従来、その電荷をそのまま消費していたことに変わりはない。又、共通電極側の電荷にしても同様である。
【００６９】従って、本発明は、データ線の容量や共通電極の容量が何に由来するかは本質的には無関係なのである。但し、本発明によって、容量を構成するもう一方の電極側の駆動回路、例えばゲート電極駆動回路（走査駆動器など）の出力の負担が大きくなる（ここで、負担が大きくなるとは駆動に必要な電荷量が増加することをいう。）ことがあれば、そのことによる損失を差し引かねばならなくなる。しかし、本発明ではそんなことはあり得ない。何故なら、例えばゲート駆動回路が充放電すべき電荷量は、走査線の容量（それは、即ち走査線固有の容量、共通電極との間の容量、データ線との交差容量等よりなる）と、その容量を構成する相手側電極との間の電位差によって決定され、その相手側電極の電荷が何処から来たものであるかには無関係だからである。」（段落【００６８】−【００６９】） 
　 
（１−ｍ）「【００７０】また、以上の説明ではアナログスイッチ駆動器の外部から与えられる階調電源を選択して出力する方式のデジタル駆動器を例として説明したが、本発明の本質は駆動器の構造には無関係であり、使用される駆動器の構造によって各種の変形が有り得るものである。」（段落【００７０】） 
　 
（１−ｎ）「【００７１】【発明の効果】以上詳述したように、本発明による場合には、消費電力を大幅に低減することができ、かつ、ちらつきのない高品位の画像を得ることができる駆動回路を提供することができる。」（段落【００７１】） 
　
　ア　上記摘記事項（１−ａ）の「画素の下の矢印は共通電極に接続されていることを示している。」との記載及び図面の図９の記載から、「複数の画素は共通電極に接続されている」ことが読み取れる。
　
　イ　図面の図１に描かれた駆動回路の基本概念の説明図と、図面の図３に描かれた駆動回路のブロック図との対応関係から、摘記事項（１−ｇ）ないし（１−ｉ）並びに図面の図１の「スイッチＳＷｓ」、「スイッチＳＷｖｏ」、「スイッチＳＷｃｏｍ」をそれぞれ、「第３ＦＥＴ１３」、「第１ＦＥＴ１１」、「第２ＦＥＴ１２」として、「制御信号ＣＯＮＴｓ」及び「制御信号ＣＯＮＴｖｏ及び制御信号ＣＯＮＴｃｏｍ」を、「制御信号ＣＯＮＴ３」及び「同一制御信号ＣＯＮＴ１」としたものが読み取れる。
　
　ウ　図面の図１及び図３を対応させつつ、摘記事項（１−ｉ）の段落【００５３】の記載及び摘記事項（１−ｊ）の段落【００５８】の記載を読めば、「階調用電源回路１」及び「共通電極駆動回路２」を、「第１ＦＥＴ１１」、「第２ＦＥＴ１２」によって蓄電器Ｃｐから切り離した状態で「第３ＦＥＴ１３」を入にして、蓄電器Ｃｐのデータ側電極に充電されていた正の電荷（＋Ｑｃ）と負の電荷（−Ｑｃ）を中和して、蓄電器Ｃｐの電荷を０とするものが読み取れる。
　
　したがって、上記摘記事項（１−ａ）ないし（１−ｎ）及び上記アないしウより、引用刊行物１には、次の発明（以下「刊行物１発明」という。）が記載されていると認める。 
「列に配列された複数の走査電極Ｌ１〜ＬＭ、
複数の走査電極と交差し、かつ、行に配列された複数のデータ線Ｏ１〜ＯＮ、
複数の走査電極の各々と、複数のデータ線の各々の交点に配列された複数の画素Ｐ（Ｍ，Ｎ）、
複数の走査電極に接続され、１水平ライン毎の走査を行うための走査駆動器ＧＤ、
複数のデータ線に接続された複数のサンプリングメモリＭｓｍｐであって、サンプリングパルスＴｓよって画像信号がサンプリングされて複数のデータ線に出力される複数のサンプリングメモリＭｓｍｐ、
複数のサンプリングメモリＭｓｍｐに接続され、サンプリングパルスＴｓを発生するように使用される回路、
データ線を駆動器の負荷として見た場合のデータ線と共通電極の間の容量である蓄電器Ｃｐ、
データ線と共通電極とを電気的に接続するための回道回路に設けられたスイッチとして用いられる第３ＦＥＴ１３であって、その入切は制御信号制御信号ＣＯＮＴ３で制御される第３ＦＥＴ１３、
階調用電源回路１と駆動器３の階調電源入力端子に接続されたスイッチとして用いられる第１ＦＥＴ１１であって、その入切は同一制御信号ＣＯＮＴ１で制御される第１ＦＥＴ１１、
共通電極駆動回路２と共通電極とに接続されたスイッチとして用いられる第２ＦＥＴ１２であって、その入切は同一制御信号ＣＯＮＴ１で制御される第２ＦＥＴ１２、
を有し、
階調用電源回路１と共通電極駆動回路２の出力の変化点の前で、第１ＦＥＴ１１及び第２ＦＥＴ１２は同一制御信号ＣＯＮＴ１が低となって切となり、
その直後に、制御信号ＣＯＮＴ３が高となって第３ＦＥＴ１３は入になり、
第３ＦＥＴ１３が入の時に、蓄電器Ｃｐのデータ線側電極に充電されていた電荷と共通電極側電極に充電されていた電荷とは第３ＦＥＴ１３を通して互い中和して蓄電器Ｃｐの電荷は０となり、
その後、第３ＦＥＴ１３が切となった後、第１ＦＥＴ１１及び第２ＦＥＴ１２が入となり、蓄電器Ｃｐのデータ線側電極に−Ｑｃの電荷を充電し、共通電極側電極に＋Ｑｃの電荷を充電する駆動回路を備える能動行列型液晶表示体。」
　
第４　対比 
　１．本願第１発明と刊行物１発明を対比する。 
　（１）刊行物１発明の「走査電極」、「データ線」、「画素」、「走査駆動器」は、本願第１発明の「走査線」、「データ線」、「画素」、「垂直駆動回路」に相当している。
　
　（２）刊行物１発明の「階調用電源回路１と共通電極駆動回路２の出力の変化点の前で、第１ＦＥＴ１１及び第２ＦＥＴ１２は同一制御信号ＣＯＮＴ１が低となって切となり、
その直後に、制御信号ＣＯＮＴ３が高となって第３ＦＥＴ１３は入になり、
第３ＦＥＴ１３が入の時に、蓄電器Ｃｐのデータ線側電極に充電されていた電荷と共通電極側電極に充電されていた電荷とは第３ＦＥＴ１３を通して互い中和して蓄電器Ｃｐの電荷は０となり、
その後、第３ＦＥＴ１３が切となった後、第１ＦＥＴ１１及び第２ＦＥＴ１２が入となり、蓄電器Ｃｐのデータ線側電極に−Ｑｃの電荷を充電し、共通電極側電極に＋Ｑｃの電荷を充電する」は、本願第１発明の「事前充電」に相当し、刊行物１発明の「能動行列型液晶表示体」は、本願第１発明の「事前充電ディスプレイ装置」に相当している。
　
　（３）刊行物１発明の「画像信号」は「サンプリングパルスＴｓｍｐ（ｉ）」に応じた「サンプリングメモリＭｓｍｐ（ｉ）」のスイッチング動作によって取り込まれるものであって、該「サンプリングメモリＭｓｍｐ（ｉ）」に取り込まれた画像信号は、「保持メモリＭＨ、復号器ＤＥＣ、アナログスイッチＡＳＷ０〜ＡＳＷ７、階調電源Ｖ０〜Ｖ７」を用いてＤ／Ａ変換されて、各データ線に出力されているから、刊行物１発明の「画像信号」、「サンプリングメモリＴｓｍｐ」、「サンプリングパルスＴｓｍｐ」は、本願第１発明の「ビデオ信号」、「複数のスイッチ」、「複数のスイッチのＯＮ／ＯＦＦ状態を制御するための複数の連続サンプリングパルス」に相当している。
　
　（４）そして、刊行物１発明には「画像信号」が存在するから、当該画像信号を発生するために、刊行物１発明が本願第１発明の「ビデオ信号を発生するために使用される信号駆動回路」に相当するものを備えていることは明らかである。
　
　（５）刊行物１発明の「共通電極」は、本願第１発明の「複数の画素に結合された第一電極」に相当しているから、本願第１発明の「共有コンデンサ」と刊行物１発明の「蓄電器Ｃｐ」とは、「複数の画素に結合された第一電極と他の電極との間に構成されるコンデンサ」である点で共通している。
　
　（６）摘記事項（１−ｄ）に「データ線は、自身の抵抗と、対向する共通電極との間に構成される容量とから各々構成される分布定数回路として表される。」、「抵抗は充放電に要する時間を決定する要素としては働く」と記載されていて、図１９（ｂ）の記載と併せてみると、刊行物１発明の共通電極についても、「共通電極自身の抵抗」を備えていることは明らかであって、刊行物１発明の当該抵抗は本願第１発明の「共有抵抗」に相当する。そして、共通電極は複数の画素に結合されているから、当該抵抗は「複数の画素に結合された電極」を有しているものであるので、刊行物１発明は「複数の画素に結合された第３電極と第４電極を有する共有抵抗」に相当する構成を具備していることが明らかである。
　
　（７）刊行物１発明の「第３ＦＥＴ１３」は、データ線と共通電極に接続され、その入切を制御する「制御信号ＣＯＮＴ３」は「事前充電スイッチング・トランジスタを制御するための制御信号」であるから、
本願第１発明の「複数のデータ線、共有抵抗、および一組の事前充電制御信号に接続される複数の事前充電スイッチング・トランジスタであって、その複数の事前充電スイッチング・トランジスタがＯＮ状態またはＯＦＦ状態のいずれであるかは事前充電制御信号によって制御される事前充電スイッチング・トランジスタ」と刊行物１発明の「データ線と共通電極とを電気的に接続するための回道回路に設けられたスイッチとして用いられる第３ＦＥＴ１３であって、その入切は制御信号制御信号ＣＯＮＴ３で制御される第３ＦＥＴ１３」とは、「複数のデータ線、共有抵抗、および「事前充電スイッチング・トランジスタを制御するための制御信号」に接続される事前充電スイッチング・トランジスタであって、その事前充電スイッチング・トランジスタがＯＮ状態またはＯＦＦ状態のいずれであるかは「事前充電スイッチング・トランジスタを制御するための制御信号」によって制御される事前充電スイッチング・トランジスタ」である点で共通している。
　
　（８）本願第１発明の「共有抵抗、複数の事前充電スイッチング・トランジスタ、事前充電制御信号、および共有電圧に接続される一組の事前充電制御トランジスタであって、その事前充電制御トランジスタがＯＮ状態またはＯＦＦ状態のいずれであるかは事前充電制御信号によって制御される事前充電制御トランジスタ」と
刊行物１発明の「共通電極駆動回路２と共通電極とに接続されたスイッチとして用いられる第２ＦＥＴ１２であって、その入切は同一制御信号ＣＯＮＴ１で制御される第２ＦＥＴ１２」とは、
「共有抵抗、事前充電スイッチング・トランジスタ、「事前充電を制御するための制御信号」および共有電圧に接続される事前充電制御トランジスタであって、その事前充電制御トランジスタがＯＮ状態またはＯＦＦ状態のいずれであるかは「事前充電制御トランジスタを制御するための制御信号」によって制御される事前充電制御トランジスタ」である点で共通している。
　
　（９）本願第１発明の「ＯＮ状態またはＯＦＦ状態のいずれであるかは事前充電制御信号によって制御される事前充電スイッチング・トランジスタ、・・・その事前充電制御トランジスタがＯＮ状態またはＯＦＦ状態のいずれであるかは事前充電制御信号によって制御される事前充電制御トランジスタを有し、複数の事前充電スイッチング・トランジスタのタイプ（ｎタイプかｐタイプか）は、事前充電制御トランジスタのタイプとは相違していなければならないこと」は、要するに、「事前充電スイッチング・トランジスタ」と「事前充電制御トランジスタ」のＯＮ状態またはＯＦＦ状態のいずれであるかを制御するための制御信号を、両者で共通した「事前充電制御信号」として、かつ、「トランジスタのタイプ（ｎタイプかｐタイプか）」を相違させることによって、事前充電スイッチング・トランジスタと事前充電制御トランジスタとはＯＮ状態とＯＦＦ状態のいずれであるかが排他的に制御されるものであって、刊行物１発明の「・・・共通電極駆動回路２の出力の変化点の前で、・・・第２ＦＥＴ１２は同一制御信号ＣＯＮＴ１が低となって切となり、その直後に、制御信号ＣＯＮＴ３が高となって第３ＦＥＴ１３は入になり、・・・その後、第３ＦＥＴ１３が切となった後、・・・第２ＦＥＴ１２が入となり」は、要するに、「第３ＦＥＴ１３」と「第２ＦＥＴ１２」の「入」と「切」が排他的に制御されるものであるから、本願第１発明と刊行物１発明とは、「事前充電スイッチング・トランジスタと事前充電制御トランジスタとはＯＮ状態とＯＦＦ状態のいずれであるかが排他的に制御される」点で共通している。
　
　すると、本願第１発明と刊行物１発明とは、次の点で一致し、
　［一致点］
「列に配列された複数の走査線、
複数の走査線と交差し、かつ、行に配列された複数のデータ線、
複数の走査線の各々と、複数のデータ線の各々の交点に配列された複数の画素、
複数の走査線に接続され、複数の走査線の各々に複数の連続列選択パルスを与えるように使用される垂直駆動回路、
ビデオ信号を発生するために使用される信号駆動回路、
信号駆動回路及び複数のデータ線に接続された複数のスイッチであって、これらスイッチがＯＮの時に画像信号が複数のデータ線に送信される複数のスイッチ、
複数のスイッチに接続され、複数のスイッチのＯＮ／ＯＦＦ状態を制御するために複数の連続サンプリングパルスを発生するように使用される水平駆動回路、
複数の画素に結合された第一電極と他の電極との間に構成されるコンデンサ、
複数の画素に結合された第３電極と第４電極を有する共有抵抗、
複数のデータ線、共有抵抗、および「事前充電スイッチング・トランジスタを制御するための制御信号」に接続される事前充電スイッチング・トランジスタであって、その事前充電スイッチング・トランジスタがＯＮ状態またはＯＦＦ状態のいずれであるかは「事前充電スイッチング・トランジスタを制御するための信号」によって制御される事前充電スイッチング・トランジスタ、および共有抵抗、事前充電スイッチング・トランジスタ、「事前充電を制御するための制御信号」、および共有電圧に接続される事前充電制御トランジスタであって、その事前充電制御トランジスタがＯＮ状態またはＯＦＦ状態のいずれであるかは「事前充電制御トランジスタを制御するための制御信号」によって制御される事前充電制御トランジスタを有し、
事前充電スイッチング・トランジスタと事前充電制御トランジスタとはＯＮ状態とＯＦＦ状態のいずれであるかが排他的に制御されることを特徴とする事前充電ディスプレイ装置。」
　
　次の相違点１ないし３で相違している。
　［相違点１］
　「複数の画素に結合された第一電極と他の電極との間に構成されるコンデンサ」の「他の電極」が、本願第１発明は「接地された第二電極」であるのに対して、刊行物１発明は「データ線」である点。
　　
　［相違点２］
「事前充電スイッチング・トランジスタ」が、本願第１発明は、複数のデータ線に接続されて複数であるのに対して、刊行物１発明は、「駆動器」を介して複数のデータ線に接続されるものである点。
　
　［相違点３］
「事前充電スイッチング・トランジスタと事前充電制御トランジスタとはＯＮ状態とＯＦＦ状態のいずれであるかが排他的に制御」するための手段が、本願第１発明は、「事前充電スイッチング・トランジスタを制御するための信号」と「事前充電制御トランジスタを制御するための制御信号」とを、両者で共通した「事前充電制御信号」として、かつ、「事前充電スイッチング・トランジスタのタイプ（ｎタイプかｐタイプか）は、事前充電制御トランジスタのタイプとは相違していなければならない」ものとしているのに対して、刊行物１発明は、トランジスタのタイプについては特定せず、「事前充電スイッチング・トランジスタ」と「事前充電制御トランジスタ」に対してそれぞれ個別の「制御信号ＣＯＮＴ３」及び「共通制御信号ＣＯＮＴ１」を用いて制御している点。
　 
第５　判断 
　上記相違点について検討する。 
　１．相違点１について
本願第１発明の「複数の画素に結合された第一電極と、接地された第二電極とを有する共有コンデンサ」に関して、本願の願書に最初に添付された明細書（以下、「本願明細書」という。）の段落【００２１】に「【発明の実施の形態】・・・マトリックスパネルの共有線（すなわちカラーフィルターパネルの反転電極）に蓄えられた（寄生コンデンサとして知られる）共有コンデンサの電荷のために追加され・・・その結果共有コンデンサはデータ線を事前充電するために極性が反転されなければならない前に、蓄積した電荷をデータ線に移送できる。」と記載されているように、本願第１発明の「複数の画素に結合された第一電極と、接地された第二電極とを有する共有コンデンサ」は、「マトリックスパネルの共有線」の「寄生コンデンサ」を包含する。一方、刊行物１発明の「蓄電器Ｃｐ」も「共通電極」と「データ線」との組み合わせにおいて生じる「寄生コンデンサ」に相当するものである。また、本願第１発明の「共有コンデンサ」と刊行物１発明の「蓄電器Ｃｐ」とは、事前充電の電荷源として充放電される点においてその機能においても共通性がある。そして、上記摘記事項（１−ｋ）には「蓄電器Ｃｐ」について共通電極に対してデータ線以外の電極との組み合わせが示唆されていることからしても、上記機能に寄与するコンデンサを形成する電極について、刊行物１発明の「他の電極」を「接地された電極」として、相違点１に係る本願第１発明のごとく構成することは当業者が適宜なし得たことである。
　
　２．相違点２について 
　刊行物１の摘記事項（１−ｆ）に「本発明の基本的な考え方は、従来、むだに失っていたデータ線（データ電極）と共通電極の電荷を、両電極間の間道回路（バイパス回路）を通して両電極間で移動させ、しかる後に不足分の電荷のみを両駆動回路が供給する」、摘記事項（１−ｈ）に「スイッチＳＷｓが液晶表示体の両電極、つまりデータ線（データ電極）と共通電極とを電気的に接続するための間道回路となっている。」、摘記事項（１−ｉ）に「図２の「１」の周辺で、スイッチＳＷｓが入になった時を考えると、蓄電器Ｃｐのデータ側電極に充電されていた正の電荷（Ｑｃ）と共通電極側電極に充電されていた負の電荷（−Ｑｃ）は、スイッチＳＷｓを通して互いに中和し、蓄電器Ｃｐの電荷は０となる。」と記載されているように、刊行物１発明の「事前充電スイッチング・トランジスタ」（第３ＦＥＴ）は、データ線と共有コンデンサの第一電極とを電気的に接続することで電荷の移動をすることで電荷の供給をするものである。「データ線への事前充電のために、電荷の供給源に接続された複数のスイッチング素子を直接「複数のデータ線」に接続すること」は周知技術であるから（例えば、上記特開平７−２９５５２１号公報（「プリチャージ手段５」参照。）、特開平３−２３５９８９号公報（「スイッチングトランジスタ１６」参照。）参照。以下「周知技術Ａ」という。）、「複数のデータ線」と「共通電極」とを電気的に接続して電荷を供給するために、駆動器を介さずに、複数のデータ線のそれぞれに複数の「事前充電スイッチング・トランジスタ」を直接接続して、相違点２に係る本願第１発明の構成とすることは上記周知技術Ａに基づいて当業者が容易に想到できたことである。
　
　３．相違点３について
　「２つのスイッチング・トランジスタのＯＮ状態とＯＦＦ状態とが排他的となるように制御する手段として、該２つのスイッチング・トランジスタの「トランジスタのタイプ」をそれぞれで異なったものとして、かつ共通の一つの制御信号を該２つのスイッチング・トランジスタに入力するようになすこと」は周知技術（例えば、特開平２−３０２９８７号公報（第３頁左上欄第９行−第４頁左上欄第７行、第１図の「ｎＭＯＳトランジスタ」及び「ｐＭＯＳトランジスタ」）、特開平１１−１６１２４５号公報（段落【００６８】−【００６９】、第１図の「ＰチャンネルＭＯＳトランジスタ３９」及び「ＮチャンネルＭＯＳトランジスタ４０」）参照。以下「周知技術Ｂ」という。）であって、刊行物１発明の相違点３に係る構成を本願第１発明の相違点３に係るごとく構成することは、上記周知技術Ｂの単なる採用であるから当業者が容易に想到できたことである。
　 
　４．本願第１発明が有する作用効果について 
　本願第１発明が奏する作用効果についても、刊行物１発明及び上記周知技術Ａ及びＢに基づいて当業者が予測可能な範囲内のものである。
 　
　５．まとめ
　したがって、本願第１発明は、刊行物１発明及び上記周知技術Ａ及びＢに基づいて当業者が容易に発明をすることができたものであるから、特許法２９条２項の規定により特許を受けることができない。 
　 
第６　むすび 
　　以上のとおり、本願の請求項１に係る発明は、刊行物１に記載された発明及び上記周知技術Ａ及びＢに基づいて当業者が容易に発明をすることができたものであるから、特許法２９条２項の規定により特許を受けることができない。 
　そして、請求項１に係る発明が特許を受けることができないものであるから、その余の請求項２、３に係る発明について検討するまでもなく、本願は拒絶すべきものである。 
　よって、結論のとおり審決する。